(57)【要約】【課題】美観性の優れた配線収納型造作材を提供する。【解決手段】天井周囲に設けられる廻り縁材１に長手方向にわたる配線スペース２を形成し、壁面には前記廻り縁材１と連結する付け柱３を設け、前記付け柱３は長手方向にスライド可能なコンセント４用の取付具５を備え、前記付け柱３に前記配線スペース２と連続する配線スペース２を長手方向にわたって形成し、前記取付具５に連設されコンセント４と電気的に接続された配線を前記両配線スペース２に収納してなるようにした。【選択図】図１
2010229690.tif 000002
【特許請求の範囲】
【請求項１】
天井周囲に設けられる廻り縁材に長手方向にわたる配線スペースを形成し、壁面には前記廻り縁材と連結する付け柱を設け、前記付け柱は長手方向にスライド可能なコンセント用の取付具を備え、前記付け柱に前記配線スペースと連続する配線スペースを長手方向にわたって形成し、前記取付具に連設されコンセントと電気的に接続された配線を前記両配線スペースに収納してなる配線収納型造作材。
【請求項２】
廻り縁材および付け柱は、内部が中空になるように形成され、この中空部分が配線スペースとなることを特徴とする請求項１記載の配線収納型造作材。
【請求項３】
廻り縁材および付け柱には、室内に露出する凹溝が長手方向に形成され、この凹溝が配線スペースとなることを特徴とする請求項１又は２に記載の配線収納型造作材。
【発明の詳細な説明】
【技術分野】
【０００１】
本願発明は、配線を収納することが可能な造作材に関するものである。
【背景技術】
【０００２】
従来から、特開２００６−２０７１７２号公報（特許文献１）に示されるように、配線を収納することのできる配線収納型造作材は知られている。この配線収納型造作材には帯板状の造作材本体の前面側に開口した凹溝状の配線収納部が造作材の長手方向にわたって形成されており、この配線収納部内に配線が通された後、平板状のカバー部とその両端から裏側へ突出した一対の取付用脚部とを有するキャップ体が取り付けられる。
配線収納部は、配線が収納される断面凹形状の配線空間と、キャップ体取付時にその一対の取付用脚部が嵌め込まれる一対の凹段部とを有しており、この凹段部は、キャップ体の取付用脚部が配線空間内に飛び出さないように、配線空間側面の一部が外側に広がった形状を有している。
したがって、この配線収納型造作材では取付用脚部が配線収納部の配線空間内に飛び出さないようにすることで、配線空間が狭まるつまり収納容積が狭まることを防ぐことができ配線収納部の大容量化を実現した配線収納型造作材を提供することができるとされている。
【先行技術文献】
【特許文献】
【０００３】
【特許文献１】特開２００６−２０７１７２号公報
【発明の概要】
【発明が解決しようとする課題】
【０００４】
しかしながら、上記従来例である配線収納型造作材にあっては、配線収納部に通された配線の端部を、配線収納型造作材の外側に設けられた屋内配線の電源供給用の端子と接続させるために配線収納型造作材の外側に引き出す必要があり、配線が露出し美観性が優れないといった問題点を有しており、特に端子から配線収納型造作材が遠い場合問題であった。
【０００５】
本願発明は、上記背景技術に鑑みて発明されたものであり、その課題は、美観性の優れた配線収納型造作材を提供することである。
【課題を解決するための手段】
【０００６】
上記課題を解決するために、本願請求項１記載の発明では、天井周囲に設けられる廻り縁材に長手方向にわたる配線スペースを形成し、壁面には前記廻り縁材と連結する付け柱を設け、前記付け柱は長手方向にスライド可能なコンセント用の取付具を備え、前記付け柱に前記配線スペースと連続する配線スペースを長手方向にわたって形成し、前記取付具に連設されコンセントと電気的に接続された配線を前記両配線スペースに収納してなるようにしている。
【０００７】
又、本願請求項２記載の発明では、上記請求項１記載の配線収納型造作材において、廻り縁材および付け柱は、内部が中空になるように形成され、この中空部分が配線スペースとなることを特徴としている。
又、本願請求項３記載の発明では、上記請求項１又は２に記載の配線収納型造作材において、廻り縁材および付け柱には、室内に露出する凹溝が長手方向に形成され、この凹溝が配線スペースとなることを特徴としている。
【発明の効果】
【０００８】
本願請求項１記載の発明の配線収納型造作材においては、天井周囲に設けられる廻り縁材に長手方向にわたる配線スペースを形成し、壁面には前記廻り縁材と連結する付け柱を設け、前記付け柱は長手方向にスライド可能なコンセント用の取付具を備え、前記付け柱に前記配線スペースと連続する配線スペースを長手方向にわたって形成し、前記取付具に連設されコンセントと電気的に接続された配線を前記配線スペースに収納してなるので、取付具をスライドさせて所望の位置に調整し、コンセントに取付けることによって、電源と接続された配線を配線スペースに収納することができ、配線収納型造作材の外側に配線を引き出して電源を取得する必要がないので美観性の優れた配線収納型造作材を提供することができる。
【０００９】
又、本願請求項２記載の発明の配線収納型造作材においては、特に、廻り縁材および付け柱は、内部が中空になるように形成され、この中空部分が配線スペースであるので、内部の中空部に配線を収納することで外側に配線が露出せず、美観性の優れた配線収納型造作材を提供することができる。
又、本願請求項３記載の発明の配線収納型造作材においては、特に、廻り縁材および付け柱には、室内に露出する凹溝が長手方向に形成され、この凹溝が配線スペースであるので、室内に露出した凹溝の所望の位置から配線を取り出して適宜、電気機器に接続すれば所望の位置で簡単に電気機器に電力を供給させることができる。
【図面の簡単な説明】
【００１０】
【図１】本願発明の実施形態における配線収納型造作材を示す全体図。
【図２】本願発明の実施形態における廻り縁材を示す斜視図。
【図３】本願発明の実施形態における廻り縁材を示す断面図。
【図４】本願発明の実施形態における付け柱を示す斜視図。
【図５】本願発明の実施形態における付け柱を示す断面図。
【図６】本願発明の実施形態において廻り縁材にエアコンを取り付けた状態を示す斜視図。
【発明を実施するための形態】
【００１１】
図１〜６は、本願発明における実施形態の配線収納型造作材を示している。この配線収納型造作材は、天井周囲に設けられる廻り縁材１に長手方向にわたる配線スペース２が形成され、壁面には前記廻り縁材１と連結する付け柱３が設けられ、付け柱３は長手方向にスライド可能なコンセント４用の取付具５を備え、付け柱３には、廻り縁材１に設けられた配線スペース２と連続する配線スペース２が長手方向にわたって形成され、取付具５に連設されコンセント４と電気的に接続された配線を両配線スペース２に収納してなっている。
また、この配線収納型造作材では、廻り縁材１および付け柱３は内部が中空８になるように形成され、この中空８部分が配線スペース２となっている。また、廻り縁材１および付け柱３には、室内に露出する凹溝９が長手方向に形成され、この凹溝９も配線スペース２となっている。
以下、この実施形態の配線収納型造作材をより具体的詳細に説明する。廻り縁材１は天井面と壁面とで構成される角部にそって設けられる長尺の部材であって、廻り縁材１は壁面に接する平板状の側面部１０と、側面部１０の上端部と一方の端部が連続し天井面に接する平板状の上面部１１と、側面部１０の下端部と上面部１１の前記一方の端部と反対側の端部とが連続してなる平板状の傾斜面部１２とを備え、側面部１０と上面部１１と傾斜面部１２とが枠体を構成し、この枠体によって囲まれる内部は中空８となっている。また、枠体である、廻り縁材１には凹溝９が長手方向にそって２箇所形成されており、それぞれの凹溝９は室内側開口し、一つの凹溝９の開口は略垂直下方向、もう一方の凹溝９の開口は略水平方向の露出している。また、長尺の廻り縁材１の長手方向の一方の端部は、側面部１０と上面部１１と傾斜面部１２からなる枠体の一部が中空８に沿って突出している突起部１３を備え、廻り縁材１の長手方向のもう一方の端部は前記突起部１３に嵌合する凹部（図示せず）が形成されている。よって２つ以上の廻り縁材１の突起部１３と凹部を嵌合させて、廻り縁材１を長手方向に延設し、所望の長さ備える廻り縁材１を天井周囲に設けることができる。なお、廻り縁材１はビスや接着剤などにより天井面または壁面に固定される。
付け柱３は、壁面に沿って設けられ、廻り縁材１から床面にわたって設けられる長尺の部材であり、廻り縁材１に直交して連結するものである。付け柱３は、長手方向に一連に凹所３０が形成された部材であり、断面略コ字型の形状を有する。凹所３０は壁面に向かって開口しており、付け柱３が壁面に沿って設けられると凹所３０は壁面によって塞がれて、付け柱３の内部に中空８が形成される。また、付け柱３の両側の側面には、凹溝９が形成されている。なお、付け柱３は、その壁面に接する端部から外側に突出し、壁面と略平行な対の突片３１を長手方向の所定箇所において備え、この突片３１には貫通孔が形成されており、この貫通孔にビスを挿入しビスが壁面に固定されることにより付け柱３は壁面に固定される。
また、付け柱３の長手方向の一方の端部には、廻り縁材１の凹溝９に嵌合する接続部３２が突設されており、接続部３２が廻り縁材１の凹溝９に嵌合することにより、付け柱３と廻り縁材１に設けられた、それぞれの凹溝９が連通する。ここで、廻り縁材１の凹溝９の奥部には、長手方向の所定箇所において廻り縁材１の内部の中空８と通連する貫通孔が設けられており、この貫通孔が設けられた所定箇所において付け柱３の接続部３２を廻り縁材１の凹溝９に嵌合させれば、付け柱３の中空８と廻り縁材１の中空８とを通連させることができる。
ところで、付け柱３の凹所３０には、凹所３０に収まるコンセント４用の取付具５が収められている。取付具５は、凹所３０にそってスライド可能な構成であり、壁面に設けられたコンセント４の位置に合わせて取付具５をスライドさせ、コンセント４に取り付けることができる。取付具５はその端面に壁面側に突出した一対の栓刃５１を備え、この栓刃５１がコンセント４の栓刃挿入口に挿入固定されることにより栓刃挿入口内部の端子と当接し、取付具５はコンセント４と電気的および機械的に接続される。また、取付具５には配線が連設されており、この配線は取付具５を介してコンセント４と電気的に接続されるものであり、この配線が配線スペース２に収められ、配線スペース２の所望の位置で配線の端部に設けられたアダプタを引き出して、アダプタに電気機器の電源接続用端子を接続させることにより電気機器の動作電源を得ることができる。
上述の廻り縁材１および付け柱３を組み合わせて本実施形態の配線収納型造作材は構成されている。すなわち、３つ廻り縁材１を天井面と壁面とで構成される角部に対向して設け、５つの付け柱３を前記２つの廻り縁材１と床面の間に壁面に接するように配設している。
また、壁面に固定されたエアコン７のエアコン用ダクトを納める中空部分が内部に形成され、この中空部分が廻り縁材１の中空８と通連する連結パイプ７１をエアコン７と廻り縁材１との間に架設し、エアコン７のエアコン用ダクトを連結パイプ７１内及びに廻り縁材１の中空８に収めるようにしてもよい。またこのとき、廻り縁材１から配線の端部に設けられたアダプタを引き出して、エアコン７の電源接続用端子を前記アダプタに接続してエアコン７の動作電源を得るようにしてもよい。
したがって本実施形態の配線収納型造作材では、取付具５を付け柱３の凹所３０に沿ってスライドさせて所望の位置に調整し、壁面に設けられたコンセント４に取付けることによって、電源と接続された配線を配線スペース２に収納することができ、配線収納型造作材の外側に配線を引き出して電源を取得する必要がないので美観性の優れた配線収納型造作材を提供することができる。
また、配線収納型造作材である、廻り縁材１または付け柱３の中空８内に配線を収納することで配線収納型造作材の外側に配線が露出せず、美観性の優れた配線収納型造作材を提供することができる。
また、配線収納型造作材である、廻り縁材１または付け柱３の室内に露出した凹溝９の所望の位置から配線を取り出して適宜、電気機器に接続すれば所望の位置で簡単に電気機器に電力を供給させることができる。
また、エアコン７のエアコンダクトを収め、廻り縁材１に連結する連結パイプ７１を設ければ、廻り縁材１が設置されている壁面においてエアコン７を自由に配設することができる。
【符号の説明】
【００１２】
１  廻り縁材
２  配線スペース
３  付け柱
４  コンセント
５  取付具
８  中空
９  凹溝
【図１】
2010229690.tif 000003
【図２】
2010229690.tif 000004
【図３】
2010229690.tif 000005
【図４】
2010229690.tif 000006
【図５】
2010229690.tif 000007
【図６】
2010229690.tif 000008